(57)【要約】【課題】  本発明はこのような事情に鑑みてなされたもので、既存のカメラと撮影レンズを用いて、映像を回転させたり、反転させたりする特殊撮影を行うことができる特殊撮影用アダプタを提供する。【解決手段】撮影レンズ１４とテレビカメラ１２との間に装着される特殊撮影用アダプタ１６には、ターレット５０と像回転プリズム４４とが備えられている。ターレット５０は、光を奇数回反射させる第１プリズム４２Ａと光を反射させずに透過させる第２プリズム４２Ｂとを切り替えて撮影レンズ１４の光軸Ｏ上に配置する。このターレット５０によって第１プリズム４２Ｂを光軸Ｏ上に配置すると、通常の映像が撮影され、第２プリズム４２Ｂを光軸Ｏ上に配置すると、反転した映像が撮影される。また、像回転用プリズム４４は回転自在に支持されており、この像回転用プリズム４４を回転させることにより、映像が回転する。【選択図】  図２
2009260805.tif 000002
【特許請求の範囲】
【請求項１】
カメラ本体に対して撮影レンズが着脱自在に設けられ、該撮影レンズを通過した被写体像がカメラ本体に内蔵されたプリズムを介して撮像素子の受光面上に結像されるカメラに対して、前記撮影レンズと前記カメラ本体との間に着脱自在に装着され、前記撮像素子の受光面上に結像される被写体像を回転させる特殊撮影用アダプタであって、
前記カメラ本体に内蔵されたプリズムに近い光路長で形成され、前記撮影レンズを通過した被写体像が特殊撮影用アダプタ内の所定位置に結像される前の光路中に配置されることにより、前記撮影レンズを通過した被写体光を奇数回反射させて、前記撮影レンズを通過した被写体像を反転させる第１プリズムと、
前記カメラ本体に内蔵されたプリズムに近い光路長で形成され、前記撮影レンズを通過した被写体像が特殊撮影用アダプタ内の所定位置に結像される前の光路中に配置されることにより、前記撮影レンズを通過した被写体光を反射させずに通過、又は、偶数回反射させる第２プリズムと、
前記第１プリズム又は前記第２プリズムのいずれか一方を前記光路中に選択的に切り替えて配置させる切替手段と、
入射光軸と出射光軸とが同軸上に形成され、前記第１プリズム又は第２プリズムを通過して一旦結像した後の被写体光の光軸上に配置されるとともに、該光軸回りに回転自在に支持され、前記第１プリズム又は第２プリズムを通過した被写体光を奇数回反射させて、前記第１プリズムで反転させた被写体像又は前記第２プリズムを通過した被写体像を反転させる像回転プリズムと、
前記像回転プリズムの回転を操作する操作手段と、
前記像回転プリズムを通過した被写体像を前記撮像素子の受光面上に再結像させるリレー光学系と、
を備えたことを特徴とする特殊撮影用アダプタ。
【請求項２】
前記第１プリズムと前記像回転プリズムは、それぞれ少なくとも３回以上入射した被写体光を反射させて出射することを特徴とする請求項１に記載の特殊撮影用アダプタ。
【請求項３】
前記操作手段は、
前記像回転プリズムを回転させる回転駆動手段と、
前記像回転プリズムの回転の指示を入力する入力手段と、
前記入力手段からの回転の指示の入力に応じて前記回転駆動手段の駆動を制御する制御手段と、
からなることを特徴とする請求項１又は２に記載の特殊撮影用アダプタ。
【請求項４】
前記切替手段は、前記第１プリズムと前記第２プリズムとを保持した回転自在なターレットで構成され、該ターレットを回転させることにより、前記第１プリズム又は前記第２プリズムのいずれか一方を前記光路中に選択的に切り替えて配置させることを特徴とする請求項１、２又は３に記載の特殊撮影用アダプタ。
【発明の詳細な説明】
【技術分野】
【０００１】
本発明は特殊撮影用アダプタに係り、特に撮影レンズとカメラとの間に装着して、カメラで撮影される映像に特殊効果を与えるための特殊撮影用アダプタに関する。
【背景技術】
【０００２】
カメラで撮影される映像に特殊効果を与える技術として、特殊フィルタを使用する方法が知られている。この方法は、クロスやスノークロス、ミラージュ等の特殊フィルタを光路内に挿入することによって、被写体の光輝部から光条を発生させるものである（特許文献１〜４）。この場合、光路内に挿入するフィルタの交換はターレット機構を用いて行われる。
【０００３】
カメラで撮影される映像を回転させて特殊効果を与える技術として、カメラ内に設置された撮像素子を色分解プリズムごと回転させる技術が知られている（特許文献５）。
【特許文献１】特公平２−４４１８５号公報
【特許文献２】特開昭６４−３５５３４号公報
【特許文献３】特開昭５９−１０１６３２号公報
【特許文献４】実公昭５５−１０８７号公報
【特許文献５】特開平７−２０３４６６号公報
【発明の開示】
【発明が解決しようとする課題】
【０００４】
しかしながら、特許文献１〜４のように、特殊フィルタを用いて映像に特殊効果を与える方法は、ターレット機構を用いてフィルタ交換を行うため、装置が大型化するという欠点がある。
【０００５】
また、撮像素子を回転させることにより、映像を回転させて特殊効果を与える方法は、カメラ側に撮像素子を回転させる機構を持たせなければならず、既存のカメラで実施することができないという欠点がある。また、レンズ側に撮像素子を回転させる機構を持たせることも可能であるが、その場合であっても、既存のレンズでは実施できないという欠点がある。また、カメラ側に撮像素子を回転させる機構を持たせると、カメラが大型かつ複雑化するという欠点がある。さらに、撮像素子を回転させると、撮像素子から出力される信号にノイズが発生するという欠点もある。
【０００６】
本発明はこのような事情に鑑みてなされたもので、既存のカメラと撮影レンズを用いて、映像を回転させたり、反転させたりする特殊撮影を行うことができる特殊撮影用アダプタを提供することを目的とする。
【課題を解決するための手段】
【０００７】
請求項１に係る発明は、前記目的を達成するために、カメラ本体に対して撮影レンズが着脱自在に設けられ、該撮影レンズを通過した被写体像がカメラ本体に内蔵されたプリズムを介して撮像素子の受光面上に結像されるカメラに対して、前記撮影レンズと前記カメラ本体との間に着脱自在に装着され、前記撮像素子の受光面上に結像される被写体像を回転させる特殊撮影用アダプタであって、前記カメラ本体に内蔵されたプリズムに近い光路長で形成され、前記撮影レンズを通過した被写体像が特殊撮影用アダプタ内の所定位置に結像される前の光路中に配置されることにより、前記撮影レンズを通過した被写体光を奇数回反射させて、前記撮影レンズを通過した被写体像を反転させる第１プリズムと、前記カメラ本体に内蔵されたプリズムに近い光路長で形成され、前記撮影レンズを通過した被写体像が特殊撮影用アダプタ内の所定位置に結像される前の光路中に配置されることにより、前記撮影レンズを通過した被写体光を反射させずに通過、又は、偶数回反射させる第２プリズムと、前記第１プリズム又は前記第２プリズムのいずれか一方を前記光路中に選択的に切り替えて配置させる切替手段と、入射光軸と出射光軸とが同軸上に形成され、前記第１プリズム又は第２プリズムを通過して一旦結像した後の被写体光の光軸上に配置されるとともに、該光軸回りに回転自在に支持され、前記第１プリズム又は第２プリズムを通過した被写体光を奇数回反射させて、前記第１プリズムで反転させた被写体像又は前記第２プリズムを通過した被写体像を反転させる像回転プリズムと、前記像回転プリズムの回転を操作する操作手段と、前記像回転プリズムを通過した被写体像を前記撮像素子の受光面上に再結像させるリレー光学系と、を備えたことを特徴とする特殊撮影用アダプタを提供する。
【０００８】
請求項１に係る発明によれば、本発明に係る特殊撮影用アダプタを撮影レンズとカメラ本体との間に装着して、操作手段で像回転プリズムを回転させると、撮像素子の受光面上に結像される被写体像が光軸回りに回転する。すなわち、像回転プリズムは、入射光軸と出射光軸とが同軸上に形成され、かつ、入射した光を奇数回反射させて出射（入射した像を反転させて出射）するように構成されているため、これを光軸回りに回転させると、撮像素子の受光面上に結像される被写体像が光軸回りに回転する。
【０００９】
このとき、第１プリズムが光路上に配置されていると、カメラ側では、アダプタを装着していないときと同じ画像（撮影レンズをそのまま通過させた時の画像）が撮影され、第２プリズムが光路上に配置されていると、反転した画像（裏画）が撮影される。
【００１０】
すなわち、第１プリズムが光路上に配置されていると、撮影レンズを通過した像は、第１プリズムで奇数回反射されることにより、反転される（裏画とされる）が、さらに像回転プリズムで奇数回反射されることにより、元に戻されるので、結果的にアダプタを装着していないときと同じ画像（撮影レンズをそのまま通過させた時の画像）を撮影することができる（第１プリズムで裏画とされた像が、像回転プリズムで更に裏画とされて、結果的に元の像に戻される。）。
【００１１】
一方、第２プリズムが光路上に配置されていると、撮影レンズを通過した像は、第２プリズムを通過しても、撮影レンズを通過した時と同じ状態で像回転プリズムに入射されるため、結果的に像回転プリズムで反転されて（裏画とされて）、撮影される。したがって、この状態で像回転プリズムを回転させると、カメラに撮影される映像は、裏画の状態で回転する。
【００１２】
このように、請求項１に係る発明によれば、切替手段によって、第１プリズムを光路上に配置させると、アダプタを装着していないときと同じ画像を撮影することができ、第２プリズムを光路上に配置させると、反転した画像（裏画となった画像）を撮影することができる。そして、そのそれぞれにおいて、像回転プリズムを回転させることにより、画像を回転させて撮影することができる。
【００１３】
なお、カメラ本体と撮影レンズとの間にアダプタを介在させることにより、撮影レンズが想定している結像位置（撮像素子の受光面の位置）で像が結像されなくなるが、本発明では、アダプタ内で一旦像を結像させ、これをリレー光学系で再結像させる構成としているので、アダプタを装着していないときと同じ状態で撮影することができる。すなわち、アダプタを付けても、撮影レンズが想定している結像位置（撮像素子の受光面の位置）に像を結像させることができる。
【００１４】
さらに、本発明では、アダプタ内で像を結像させる前に第１プリズム又は第２プリズムを設置し、この第１プリズムと第２プリズムの光路長をカメラ本体に内蔵されたプリズム（たとえば、色分解プリズム等）の光路長に近い光路長で形成しているため、撮影レンズの性能を落とさずに、撮像素子の受光面上に被写体像を結像させることができる。すなわち、撮影レンズは、カメラ本体に内蔵されたプリズムを考慮して収差等の設計が行われるので、このカメラ本体に内蔵されたプリズムの光路長に近い光路長で形成することにより、収差等が考慮された状態で像をアダプタ内で結像させることができる。そして、この像をリレー光学系で再結像させることにより、撮影レンズの性能を落とさずに、撮像素子の受光面上に被写体像を結像させることができる。
【００１５】
このように、本発明の特殊撮影用アダプタによれば、既存のカメラと撮影レンズを使って、レンズの性能を落とさずに、像を回転させたり、像を反転させたりする特殊撮影を行うことができる。また、その構成もコンパクトにすることができる。
【００１６】
請求項２に係る発明は、前記目的を達成するために、前記第１プリズムと前記像回転プリズムは、それぞれ少なくとも３回以上入射した被写体光を反射させて出射することを特徴とする請求項１に記載の特殊撮影用アダプタを提供する。
【００１７】
請求項２に係る発明によれば、第１プリズムと像回転プリズムが、それぞれ少なくとも３回以上入射した被写体光を反射させて出射するように構成される。これにより、アダプタの全長を短くすることができ、構成をコンパクトにすることができる。
【００１８】
請求項３に係る発明は、前記目的を達成するために、前記操作手段は、前記像回転プリズムを回転させる回転駆動手段と、前記像回転プリズムの回転の指示を入力する入力手段と、前記入力手段からの回転の指示の入力に応じて前記回転駆動手段の駆動を制御する制御手段と、からなることを特徴とする請求項１又は２に記載の特殊撮影用アダプタを提供する。
【００１９】
請求項３に係る発明によれば、入力手段からの回転の指示の入力に応じて像回転プリズムが回転駆動される。これにより、回転操作を簡単に行うことができる。
【００２０】
請求項４に係る発明は、前記目的を達成するために、前記切替手段は、前記第１プリズムと前記第２プリズムとを保持した回転自在なターレットで構成され、該ターレットを回転させることにより、前記第１プリズム又は前記第２プリズムのいずれか一方を前記光路中に選択的に切り替えて配置させることを特徴とする請求項１、２又は３に記載の特殊撮影用アダプタを提供する。
【００２１】
請求項４に係る発明によれば、ターレットによって第１プリズムと第２プリズムの切り替えが行われる。これにより、簡単に第１プリズムと第２プリズムの切り替えを行うことができ、通常の撮影と裏画での撮影を簡単に切り替えて行うことができる。
【発明の効果】
【００２２】
本発明によれば、既存のカメラと撮影レンズを用いて、映像を回転させたり、反転させたりする特殊撮影を行うことができる。
【発明を実施するための最良の形態】
【００２３】
以下、添付図面に従って本発明に係る特殊撮影用アダプタの好ましい実施の形態について詳述する。
【００２４】
図１（ａ）〜（ｃ）は、本発明に係る特殊撮影用アダプタが組み込まれたテレビカメラシステムのシステム構成図である。
【００２５】
図１（ａ）に示すように、このテレビカメラシステム１０は、テレビカメラ１２と、撮影レンズ１４と、特殊撮影用アダプタ１６とで構成されている。
【００２６】
特殊撮影用アダプタ１６は、テレビカメラ１２で撮影される映像を回転させたり、反転させたりして、特殊効果を与える際に使用するアダプタであり、必要に応じてテレビカメラ１２と撮影レンズ１４との間に装着される。すなわち、この特殊撮影用アダプタ１６は、図１（ｂ）に示すように、映像を回転させたり、反転させたりする場合に、テレビカメラ１２と撮影レンズ１４との間に装着され、特殊効果撮影を行わない場合（通常撮影の場合）は、テレビカメラ１２から外される。したがって、特殊効果撮影を行わない場合は、図１（ｃ）に示すように、テレビカメラ１２には撮影レンズ１４が直接装着される。
【００２７】
なお、後述するように、特殊撮影用アダプタ１６を装着したままでも、通常撮影を行うことはできる。
【００２８】
撮影レンズ１４は、その後端部にレンズ側マウント１８が設けられており、このレンズ側マウント１８をテレビカメラ１２のカメラ本体１２Ａの先端部に設けられたカメラ側マウント２０に取り付けることにより、カメラ本体１２Ａに装着される。
【００２９】
特殊撮影用アダプタ１６は、その後端部にレンズ側マウント１８と同一構成の後側マウント２２が設けられており、この後側マウント２２をテレビカメラ１２のカメラ側マウント２０に取り付けることにより、テレビカメラ１２に装着できるように構成されている。
【００３０】
また、特殊撮影用アダプタ１６の先端部には、カメラ側マウント２０と同一構成の前側マウント２４が設けられており、この前側マウント２４に撮影レンズ１４のレンズ側マウント１８を取り付けることにより、撮影レンズ１４を特殊撮影用アダプタ１６に装着できるように構成されている。
【００３１】
図２は、図１に示したテレビカメラシステム１０における光学系の概略構成図である。
【００３２】
なお、同図においてレンズ、プリズム等の光学部材の構成は簡略化して示されており、複数のレンズからなるレンズ群を１つのレンズで示しているものもある。
【００３３】
図２に示すように、撮影レンズ１４のレンズ鏡筒３０内には、前側から順にフォーカスレンズ３２、ズームレンズ３４、アイリス３６、リレーレンズ３８が配置されている。撮影レンズ１４の先端から入射した被写体光は、これらの各レンズを通過して、撮影レンズ１４の後端から出射される。
【００３４】
特殊撮影用アダプタ１６のケース４０内には、第１プリズム４２Ａと第２プリズム４２Ｂとを撮影レンズ１４の光軸Ｏ上に切り替えて配置するターレット５０と、像回転プリズム４４と、第１リレーレンズ４６と、第２リレーレンズ４８とが配置されている。撮影レンズ１４の後端から出射した被写体光は、撮影レンズ１４の光軸Ｏに沿って進行し、ターレット５０によって光軸Ｏ上に配置された第１プリズム４２Ａ又は第２プリズム４２Ｂを通過した後、光軸Ｏ上に配置された像回転プリズム４４、第１リレーレンズ４６、第２リレーレンズ４８を通過して、特殊撮影用アダプタ１６の後端から出射される。
【００３５】
テレビカメラ１２のカメラ本体１２Ａ内には、撮影レンズ１４の光軸Ｏ上に色分解プリズム９０が配置されており、特殊撮影用アダプタ１６の後端から出射した被写体光は、この色分解プリズム９０によってＲ（赤）、Ｇ（緑）、Ｂ（青）の各色成分に分解される。そして、各色成分に分解された被写体光は、それぞれ各色成分用の撮像素子９２Ｒ、９２Ｇ、９２Ｂの受光面に入射される。各撮像素子９２Ｒ、９２Ｇ、９２Ｂの受光面に入射された被写体光は、各撮像素子９２Ｒ、９２Ｇ、９２Ｂで電気信号に変換されたのち、周知の画像信号処理手段によって信号処理され、所定形式の映像信号として出力又は記録媒体に記録される。
【００３６】
図３は、本発明に係る特殊撮影用アダプタの一実施形態を示す概略構成図である。側面断面図である。
【００３７】
上記のように、特殊撮影用アダプタ１６のケース４０内には、ターレット５０と、像回転プリズム４４と、第１リレーレンズ４６と、第２リレーレンズ４８とが配置されている。撮影レンズ１４の後端から出射した被写体光は、ターレット５０によって光軸Ｏ上に配置された第１プリズム４２Ａ又は第２プリズム４２Ｂを通過した後、光軸Ｏ上に配置された像回転プリズム４４、第１リレーレンズ４６、第２リレーレンズ４８を通過して、特殊撮影用アダプタ１６の後端から出射される。
【００３８】
ケース４０は、円筒状に形成されており、その前端面に前側マウント２４、後端面に後側マウント２２が形成されている。
【００３９】
第１プリズム４２Ａは、ペチャンプリズムで構成されている。ペチャンプリズムは、三角プリズムをわずかの空気層を介して対向配置したプリズムの一種であり、図４に示すような光路を形成する。すなわち、第１の三角プリズム４２Ａの面Ａ０（入射面）に入射した光は、面Ａ１で反射された後、面Ａ２で反射され、面Ａ１から射出して空気層Ｈに出る。空気層Ｈを出た光は、第２の三角プリズム４２Ｂの面Ｂ１に入射し、面Ｂ２で反射された後、さらに面Ｂ３と面Ｂ１で反射されて、面Ｂ２（出射面）から射出する。このとき、面Ｂ２から出射する光の光軸は、面Ａ１に入射した光の光軸と一致する。
【００４０】
このように、ペチャンプリズムで構成された第１プリズム４２Ａは、入射された光を５回反射させて、同軸上に出射させる。そして、この第１プリズム４２Ａでの反射は、奇数回（５回）の反射であることから、像反射プリズム４２Ａから出射される像は、反転されて出射される（裏画となって出射される。）こととなる。
【００４１】
したがって、この第１プリズム４２Ａを光軸Ｏ上に配置させると、撮影レンズ１４を通過した像は、反転されて（裏画となって）出射されることとなる。
【００４２】
一方、第２プリズム４２Ｂは、棒プリズムで構成され、入射された光をそのまま反射させずに通過させる（素通しさせる。）。したがって、この第２プリズム４２Ｂを光軸Ｏ上に配置させると、撮影レンズ１４を通過した像は、そのままの状態で出射されることとなる。
【００４３】
図５は、この第１プリズム４２Ａと第２プリズム４２Ｂとを光軸Ｏ上に切り替えて配置するためのターレット５０の概略構成を示す斜視図である。
【００４４】
同図に示すように、ターレット５０は、円盤状に形成されており、その中心に回転軸５２が突出して設けられている。後述するように、ターレット５０は、この回転軸５２が、ケース４０内に設けられた軸受５４、５４に軸支されることにより、ケース４０内の所定の位置に配置されて、回転自在に支持される（図３参照）。
【００４５】
ターレット５０には、回転軸５２を挟んで上下対称にプリズム保持部５６Ａ、５６Ｂが形成されている。このプリズム保持部５６Ａ、５６Ｂは、それぞれ第１プリズム４２Ａと第２プリズム４２Ｂを保持可能に形成されており、ターレット５０に貫通して形成されている。第１プリズム４２Ａと第２プリズム４２Ｂは、このプリズム５６Ａ、５６Ｂに保持されて、ターレット５０に取り付けられている（プリズム保持部５４Ａに第１プリズム４２Ａが保持され、プリズム保持部９２Ｂに第２プリズム４２Ｂが保持されている。）。
【００４６】
また、このターレット５０の外周面には、リングギア５８が形成されている。リングギア５８には、ターレット駆動ギア６０が噛合されており、ターレット駆動ギア６０は、ケース４０内に配置されたターレット駆動モータ６２の出力軸に固着されている。ターレット５０は、このターレット駆動モータ６２を駆動することにより回転する。
【００４７】
図３に示すように、ターレット５０は、その回転軸５２が、ケース４０内に配設された軸受５４、５４に軸支されることにより、ケース４０内の所定の位置に配置される。そして、ターレット駆動モータ６２を駆動することにより、回転軸５２を中心に回転し、これにより、第１プリズム４２Ａと第２プリズム４２Ｂが、回転軸５２の回りを回転する。
【００４８】
ここで、この第１プリズム４２Ａと第２プリズム４２Ｂは、ターレット５０が回転することにより、その中心が撮影レンズ１４の光軸Ｏ上を通過する。したがって、その中心が撮影レンズ１４の光軸Ｏ上に位置したときに、ターレット５０を止めれば、それぞれ撮影レンズ１４の光軸Ｏ上に配置することができ、相互に切り替えて光軸Ｏ上に配置することができる。すなわち、第１プリズム４２Ａの中心が撮影レンズ１４の光軸Ｏ上に位置したときに、ターレット５０を止めれば、第１プリズム４２Ａが撮影レンズ１４の光軸Ｏ上に配置され、第２プリズム４２Ｂの中心が撮影レンズ１４の光軸Ｏ上に位置したときに、ターレット５０を止めれば、第２プリズム４２Ｂが撮影レンズ１４の光軸Ｏ上に配置される。これにより、第１プリズム４２Ａと第２プリズム４２Ｂとを選択的に撮影レンズ１４の光軸Ｏ上に配置させることができる。
【００４９】
なお、撮影レンズ１４の光軸Ｏ上には、常にいずれか一方のプリズムが配置される。すなわち、後述するように、撮影モードとして、「Ａモード（通常モード）」が選択されると、第１プリズム４２Ａが撮影レンズ１４の光軸Ｏ上に配置され、「Ｂモード（裏画モード）」が選択されると、第２プリズム４２Ｂが撮影レンズ１４の光軸Ｏ上に配置される。
【００５０】
第１プリズム４２Ａが撮影レンズ１４の光軸Ｏ上に配置された場合、撮影レンズ１４を通過した光は、第１プリズム４２Ａを通過して、像回転プリズム４４に入射し、第２プリズム４２Ｂが撮影レンズ１４の光軸Ｏ上に配置された場合、撮影レンズ１４を通過した光は、第２プリズム４２Ｂを通過して、像回転プリズム４４に入射する。
【００５１】
ここで、この第１プリズム４２Ａ又は第２プリズム４２Ｂから出射した光は、合焦状態において、第１プリズム４２Ａ又は第２プリズム４２Ｂと像回転プリズム４４との間で一度結像し、その後、像回転プリズム４４に入射する（第１プリズム４２Ａが撮影レンズ１４の光軸Ｏ上に配置された場合は、第１プリズム４２Ａと像回転プリズムの間で一度結像して、像回転プリズム４４に入射し、第２プリズム４２Ｂが撮影レンズ１４の光軸Ｏ上に配置された場合は、第２プリズム４２Ｂを通過して、像回転プリズム４４に入射する。以下、この第１プリズム４２Ａ又は第２プリズム４２Ｂと像回転プリズム４４との間で被写体像が結像する位置を第１の結像位置という。）。
【００５２】
そして、この第１プリズム４２Ａと第２プリズム４２Ｂは、共にその光路長が、カメラ本体１２Ａに内蔵された色分解プリズム９０の光路長と同じ長さになるように形成されている。このため、第１の結像位置で結像する像は、撮影レンズ１４が想定した収差等が考慮された像が結像する。すなわち、撮影レンズ１４は、カメラ本体１２Ａ内に色分解プリズム９０を有するテレビカメラ１２に対して、色分解プリズム９０の存在を考慮して、収差等の設計が行われるので、第１プリズム４２Ａと第２プリズム４２Ｂの光路長を色分解プリズム９０の光路長と同じにすることにより、収差等が考慮された良好な像を第１の結像位置に結像させることができる。
【００５３】
像回転プリズム４４も第１プリズム４２Ａと同様にペチャンプリズムで構成され、第１プリズム４２Ａから出射される被写体光の光軸上に配置される。本例では、第１プリズム４２Ａがペチャンプリズム、第２プリズム４２が棒プリズムで構成され、共にその入射光軸と出射光軸とが同軸上に形成されているため、像回転プリズム４４も撮影レンズ１４の光軸Ｏ上に配置される。
【００５４】
また、この像回転プリズム４４は、第１プリズム４２Ａと同様にペチャンプリズムで構成されることから、像回転プリズム４４に入射した被写体光は、プリズム内で５回反射されたのち、光軸Ｏに沿って出射される。この反射は奇数回であることから、像は反転されて出射されることとなる。
【００５５】
このため、第１プリズム４２Ａが光軸Ｏ上に配置されていると、像回転プリズム４４からは、撮影レンズ１４から出射された像（＝第１プリズム４２Ａに入射する像）と同じ像が出射されることとなる。すなわち、第１プリズム４２Ａが光軸Ｏ上に配置されている場合、像回転プリズム４４には、既に反転された像（裏画となった像）が入射されるため、ここで更に反転されて、結果的に元の像（撮影レンズ１４から出射された像＝第１プリズム４２Ａに入射する像）と同じ像が出射される（反転された像が、更に反転されて、結果的に元の像が出射される。）。
【００５６】
一方、第２プリズム４２Ｂが、光軸Ｏ上に配置されている場合は、反転された像（裏画となった像）が出射されることとなる。すなわち、第２プリズム４２Ｂが、光軸Ｏ上に配置されている場合は、反転されていない像（裏画となっていない像）が像回転プリズム４４に入射されるため、ここで初めて反転されて、結果的に反転された像（裏画となった像）が出射される。
【００５７】
このように、像回転プリズム４４から出射される像は、ターレット５０によって光軸Ｏ上に配置されるプリズムによって変化し、第１プリズム４２Ａが光軸Ｏ上に配置された場合は、撮影レンズ１４から出射された像と同じ像が出射され、第２プリズム４２Ｂが光軸Ｏ上に配置された場合は、撮影レンズ１４から出射された像が反転された像（裏画となった像）が出射される。
【００５８】
この像回転プリズム４４は、プリズム保持枠７０に保持されて、撮影レンズ１４の光軸Ｏ上に配置されている。
【００５９】
プリズム保持枠７０は円筒状に形成されており、その内周部に像回転プリズム４４が収容されて保持されている。このプリズム保持枠７０は、ケース４０内に設置されたベアリング７２によって、光軸Ｏ回りに回転自在に支持されている。像回転プリズム４４は、このプリズム保持枠７０を回転させることにより、光軸Ｏの周りを回転する。
【００６０】
プリズム保持枠７０の外周には、ギア７４が一体的に形成されている。このギア７４には、駆動ギア７６が噛み合わされている。駆動ギア７６は、ケース４０内に設置されたプリズム回転駆動モータ７８の出力軸に連結されており、このプリズム回転駆動モータ７８を駆動することにより正逆回転する。そして、この駆動ギア７６が回転することにより、プリズム保持枠７０が回転し、像回転プリズム４４が光軸Ｏ回りに回転する。
【００６１】
このように、像回転プリズム４４は、プリズム回転駆動モータ７８を駆動することにより、光軸Ｏ回りに回転する。そして、この像回転プリズム４４が光軸Ｏ回りに回転することにより、像回転プリズム４４から出射される被写体像が光軸Ｏ回りに回転する。この回転は、像回転プリズム４４の二倍の速度で回転する。すなわち、像回転プリズム４４が４５度回転すると、像回転プリズム４４から出射される像は９０度回転し、像回転プリズム４４が９０度回転すると、像回転プリズム４４から出射される像は１８０度回転する。
【００６２】
プリズム回転駆動モータ７８の駆動は、マイコン８０によって制御されており、マイコン８０は、操作部８２からの操作情報に基づいてプリズム回転駆動モータ８８の駆動を制御する。
【００６３】
なお、上述したターレット駆動モータ６２の駆動もマイコン８０によって制御されており、マイコン８０は、操作部８２からの操作情報に基づいてターレット駆動モータ６２の駆動を制御する。
【００６４】
操作部８２は、たとえば、像回転プリズム４４の正方向への回転（時計回り）を指示する正回転ボタン、逆方向への回転（反時計回り）を指示する逆回転ボタン、強制的に正立位置（被写体像が正立する位置）に戻すリセットボタン、回転速度を設定する速度ボリューム、撮影モードを切り替えるモード切替スイッチ等で構成され、ケース４０の外周部に設けられる。操作部８２は、各操作ボタン類の操作に応じた信号をマイコン８０に出力する。
【００６５】
また、プリズム回転駆動モータ７８とターレット駆動モータ６２には、それぞれエンコーダ７８Ａ、６２Ａが設けられており、このエンコーダ７８Ａ、６２Ａで検出された各モータの出力軸の回転位置情報がマイコン８０に出力される。
【００６６】
マイコン８０は、この操作部８２とエンコーダ７８Ｂ、６２Ｂから入力される信号に応じてモータドライバ７８Ｂ、６２Ｂに駆動信号を出力し、プリズム回転駆動モータ７８及びターレット駆動モータ６２の駆動を制御する。
【００６７】
なお、上記のように、撮影モードには、「Ａモード」と「Ｂモード」が用意されており、「Ａモード」が選択されると、通常の撮影（裏画ではない撮影）が行われ、「Ｂモード」が選択されると、裏画での撮影が行われる。
【００６８】
モード切替スイッチによって、「Ａモード」が選択されると、マイコン８０は、ターレット駆動モータ６２を駆動して、第１プリズム４２Ａを光軸Ｏ上に位置させ、「Ｂモード」が選択されると、マイコン８０は、ターレット駆動モータ６２を駆動して、第２プリズム４２Ｂを光軸Ｏ上に位置させる。
【００６９】
なお、このモード切替スイッチの構成については、特に限定されるものではなく、「Ａモード」と「Ｂモード」とを択一的に切り替えられる構成のものであればよい。たとえば、スライド式のスイッチによって、「Ａモード」と「Ｂモード」とを択一的に切り替える構成にすることができる。
【００７０】
像回転プリズム４４から出射した被写体光は、第１リレーレンズ４６、第２リレーレンズ４８を通過して、特殊撮影用アダプタ１６から出射される。
【００７１】
この第１リレーレンズ４６と第２リレーレンズ４８は、リレー光学系を構成し、像回転プリズム４４から出射された被写体光を集光して、カメラ本体１２に内蔵された撮像素子９２Ｒ、９２Ｇ、９２Ｂの受光面上に再結像させる。
【００７２】
これにより、撮像素子９２Ｒ、９２Ｇ、９２Ｂの受光面上には、特殊撮影用アダプタ１６を装着していても、装着していなくても同じ被写体像が結像される。
【００７３】
以上のように構成された本実施の形態のテレビカメラシステム１０の作用は、次のとおりである。
【００７４】
上記のように、特殊撮影用アダプタ１６は、特殊効果撮影を行う場合に使用する。したがって、特殊効果撮影を行わない場合は、図１（ｃ）に示すように、撮影レンズ１４をカメラ本体１２Ａに直接装着して撮影する。この場合、撮影レンズ１４を通過した光は、直接カメラ本体１２Ａに入射し、色分解プリズム９０を介して撮像素子９２Ｒ、９２Ｇ、９２Ｂに受光される。なお、特殊撮影用アダプタ１６を装着したままでも通常の撮影は可能である。
【００７５】
一方、必要に応じて映像を回転させたり、像を反転させたりするという特殊効果撮影を行う場合は、図１（ｂ）に示すように、撮影レンズ１４とカメラ本体１２との間に特殊撮影用アダプタ１６を装着して撮影を行う。
【００７６】
特殊撮影用アダプタ１６が装着されると、撮影レンズ１４を通過した光は、特殊撮影用アダプタ１６を介して撮像素子９２Ｒ、９２Ｇ、９２Ｂに受光される。具体的には、撮影レンズ１４を通過後、特殊撮影用アダプタ１６内に入射し、第１プリズム４２Ａ又は第２プリズム４２Ｂを通過した後、像回転プリズム４４、第１リレーレンズ４６、第２リレーレンズ４８を介してテレビカメラ１２に出射される。
【００７７】
この際、撮影レンズ１４の光軸Ｏ上に配置されているプリズムが、第１プリズム４２Ａか第２プリズム４２Ｂかによって、テレビカメラ１２で撮影される画像が異なる。
【００７８】
まず、図２に示すように、第１プリズム４２Ａが撮影レンズ１４の光軸Ｏ上に配置されている場合について説明する。
【００７９】
この場合、操作部８２に備えられたモード切替スイッチによって、撮影モードが「Ａモード」に設定される。モード切替スイッチによって、撮影モードが「Ａモード」に設定されると、マイコン８０は、ターレット駆動モータ６２を駆動して、ターレット５０を回転させ、第１プリズム４２Ａを光軸Ｏ上に位置させる。
【００８０】
第１プリズム４２Ａが撮影レンズ１４の光軸Ｏ上に配置されると、撮影レンズ１４から出射した被写体光は、第１プリズム４２Ａに入射する。そして、第１プリズム４２Ａに入射した被写体光は、この第１プリズム４２Ａ内を５回反射されて、光軸Ｏ上に出射される。これにより、像が反転される。
【００８１】
第１プリズム４２Ａを通過した被写体光は、一度第１の結像位置で結像した後、像回転プリズム４４に入射する。そして、像回転プリズム４４で５回反射されて光軸Ｏ上に出射される。これにより、反転された像が、再度反転されて、元に戻される。
【００８２】
像回転プリズム４４を通過した被写体光は、リレー光学系を構成する第１リレーレンズ４６と第２リレーレンズ４８を通過して、特殊撮影用アダプタ１６から出射される。そして、この特殊撮影用アダプタ１６から出射された被写体光が、テレビカメラ１２の色分解プリズム９０を介して撮像素子９２Ｒ、９２Ｇ、９２Ｂの受光面上に結像される。この像は、撮影レンズ１４から出射された像、すなわち、特殊撮影用アダプタ１６を装着していないときと同じ像が結像される。
【００８３】
このように、第１プリズム４２Ａが、撮影レンズ１４の光軸Ｏ上に配置されていると、撮像素子９２Ｒ、９２Ｇ、９２Ｂの受光面上には、特殊撮影用アダプタ１６を装着していないときと同じ像が結像される。そして、この像は、像回転プリズム４４を回転させることにより、各撮像素子９２Ｒ、９２Ｇ、９２Ｂの中心を回転中心にして回転する。すなわち、操作部８２を操作して、像回転プリズム４４を正回転（時計回り）させると、各撮像素子９２Ｒ、９２Ｇ、９２Ｂの受光面上に結像される像が、各撮像素子９２Ｒ、９２Ｇ、９２Ｂの中心を回転中心にして正回転し、像回転プリズム４４を逆回転（反時計回り）させると、各撮像素子９２Ｒ、９２Ｇ、９２Ｂの受光面上に結像される像が、各撮像素子９２Ｒ、９２Ｇ、９２Ｂの中心を回転中心にして逆回転する。
【００８４】
ここで、各撮像素子９２Ｒ、９２Ｇ、９２Ｂの受光面上に結像される像の回転は、像回転プリズム４４の回転の２倍となり、像回転プリズム４４を１回転させると、各撮像素子９２Ｒ、９２Ｇ、９２Ｂに結像される被写体像は２回転する。したがって、像回転プリズム４４を９０度回転させると、各撮像素子９２Ｒ、９２Ｇ、９２Ｂに結像される像は、１８０度回転することとなる。
【００８５】
なお、像回転プリズム４４の回転は、マイコン８０によって制御され、マイコン８０は、操作部８２からの入力に基づいて、プリズム回転駆動モータ７８の駆動を制御して、像回転プリズム４４の回転を制御する。たとえば、操作部８２の正回転ボタンを操作（押下）すると、その操作信号がマイコン８０に入力される。マイコン８０は、操作部８２からの操作信号に基づいてモータドライバ７８Ｂに駆動信号を出力し、プリズム回転駆動モータ７８を回転駆動させる。これにより、像回転プリズム４４が所定の回転速度（速度ボリュームで設定された回転速度）で正回転し、各撮像素子９２Ｒ、９２Ｇ、９２Ｂに結像される被写体像が正回転する。また、操作部８２の逆回転ボタンを操作（押下）すると、その操作信号がマイコン８０に入力される。マイコン８０は、操作部８２からの操作信号に基づいてモータドライバ７８Ｂに駆動信号を出力し、プリズム回転駆動モータ７８を回転駆動させる。これにより、像回転プリズム４４が所定の回転速度で逆回転し、各撮像素子９２Ｒ、９２Ｇ、９２Ｂに結像される被写体の像が逆回転する。
【００８６】
このように、操作部８２を操作すると、像回転プリズム４４が回転し、各撮像素子９２Ｒ、９２Ｇ、９２Ｂに結像される被写体の像が回転する。そして、この像は、特殊撮影用アダプタ１６を装着していないときと同じ像（裏画となっていない像）が回転する。
【００８７】
次に、図６に示すように、第２プリズム４２Ｂが撮影レンズ１４の光軸Ｏ上に配置されている場合について説明する。
【００８８】
この場合、操作部８２に備えられたモード切替スイッチによって、撮影モードが「Ｂモード」に設定される。モード切替スイッチによって、撮影モードが「Ｂモード」に設定されると、マイコン８０は、ターレット駆動モータ６２を駆動して、ターレット５０を回転させ、第２プリズム４２Ｂを光軸Ｏ上に位置させる。
【００８９】
第２プリズム４２Ｂが撮影レンズ１４の光軸Ｏ上に配置されると、撮影レンズ１４から出射した被写体光は、第２プリズム４２Ｂに入射する。そして、第２プリズム４２Ｂに入射した被写体光は、この第２プリズム４２Ｂ内を反射されずに通過する。したがって、第２プリズム４２Ｂからは、撮影レンズ１４を通過した被写体の像と同じ像が出射される。
【００９０】
第２プリズム４２Ｂを通過した被写体光は、一度第１の結像位置で結像した後、像回転プリズム４４に入射する。そして、像回転プリズム４４で５回反射されて光軸Ｏ上に出射される。これにより、像が反転される（裏画となる）。
【００９１】
像回転プリズム４４を通過した被写体光は、リレー光学系を構成する第１リレーレンズ４６と第２リレーレンズ４８を通過して、特殊撮影用アダプタ１６から出射される。そして、この特殊撮影用アダプタ１６から出射された被写体光が、テレビカメラ１２の色分解プリズム９０を介して撮像素子９２Ｒ、９２Ｇ、９２Ｂの受光面上に結像される。この像は、撮影レンズ１４から出射された像が反転された像、すなわち、裏画となった像が結像される。
【００９２】
このように、第２プリズム４２Ｂが、撮影レンズ１４の光軸Ｏ上に配置されていると、撮像素子９２Ｒ、９２Ｇ、９２Ｂの受光面上には、裏画となった像が結像される。そして、この像は、像回転プリズム４４を回転させることにより、各撮像素子９２Ｒ、９２Ｇ、９２Ｂの中心を回転中心にして回転する。すなわち、操作部８２を操作して、像回転プリズム４４を正回転（時計回り）させると、各撮像素子９２Ｒ、９２Ｇ、９２Ｂの受光面上に結像される像が、各撮像素子９２Ｒ、９２Ｇ、９２Ｂの中心を回転中心にして正回転し、像回転プリズム４４を逆回転（反時計回り）させると、各撮像素子９２Ｒ、９２Ｇ、９２Ｂの受光面上に結像される像が、各撮像素子９２Ｒ、９２Ｇ、９２Ｂの中心を回転中心にして逆回転する。
【００９３】
なお、この像回転プリズム４４の回転操作は、第１プリズム４２Ａを光軸Ｏ上に配置させたときと同じである。
【００９４】
このように、第２プリズム４２Ｂを光軸Ｏ上に配置した場合も、像回転プリズム４４を回転させることにより、各撮像素子９２Ｒ、９２Ｇ、９２Ｂに結像される被写体の像が回転する。ただし、第２プリズム４２Ｂを光軸Ｏ上に配置した場合は、裏画となった像が回転する。
【００９５】
このように、第１プリズム４２Ａと第２プリズム４２Ｂのいずれのプリズムを光軸Ｏ上に配置した場合であっても、像回転プリズム４４を回転させることにより、各撮像素子９２Ｒ、９２Ｇ、９２Ｂに結像される被写体の像を回転させることができる。そして、第１プリズム４２Ａを光軸Ｏ上に配置した場合は、特殊撮影用アダプタ１６を装着していないときと同じ像を回転させて撮影することができ、第２プリズム４２Ｂを光軸Ｏ上に配置した場合は、裏画とした像を撮影することができる。
【００９６】
なお、像回転プリズム４４は、操作部８２に備えられたリセットボタンを操作すると、強制的に基準位置に位置させることができる。像回転プリズム４４が基準位置に位置すると、撮像素子９２Ｒ、９２Ｇ、９２Ｂの受光面上には、特殊撮影用アダプタ１６を装着していない時と同じ像（第２プリズム４２Ｂが光軸Ｏ上に配置されている場合は、裏画となった像）が結像される。すなわち、撮像素子９２Ｒ、９２Ｇ、９２Ｂの受光面上に結像する像は、像回転プリズム４４の回転位置に応じて変化（回転）するため、リセットボタンを操作することにより、特殊撮影用アダプタ１６を装着していない時と同じ像が撮影されるようにされている。
【００９７】
したがって、特殊撮影用アダプタ１６をテレビカメラ１２に装着したままであっても、第１プリズム４２Ａを光軸Ｏ上に配置させ（撮影モードを「Ａモード」に設定）、像回転プリズム４４を基準位置に位置させれば、通常の撮影を行うことができる。これにより、通常の撮影と特殊効果撮影とを切り替えて行う場合においても、面倒な着脱操作を行うことなく使用することができる。
【００９８】
また、特殊撮影用アダプタ１６を基準位置に位置させた状態で、第１プリズム４２Ａと第２プリズム４２Ｂとを切り替えると（撮影モードを「Ａモード」と「Ｂモード」に切り替えると）、通常の画像と裏画の画像とを切り替えて撮影することができる。
【００９９】
以上説明したように、本実施の形態の特殊撮影用アダプタ１６を装着することにより、必要に応じて任意に映像を回転させたり、反転させたりして、特殊効果撮影を行うことができる。そして、この特殊撮影用アダプタ１６は、既存の撮影レンズ１４とテレビカメラ１２に使用することができるので、簡単に既存のテレビカメラシステムに特殊撮影機能を付加することができる。
【０１００】
また、本実施の形態の特殊撮影用アダプタ１６は、テレビカメラ１２に装着した場合であっても、装着していないときと同じ映像を撮影することができるので、装着した場合と装着していない場合とで同じ操作感で撮影操作を行うことができる。すなわち、撮影された映像の反転処理や、その反転処理を行うための設定の切り替え操作等を行うことなく、通常と同じ操作で撮影操作を行うことができる。これにより、使い勝手のよいシステムを構築することができる。
【０１０１】
また、本実施の形態の特殊撮影用アダプタ１６は、特殊撮影用アダプタ１６内で一度像を結像させる構成としている。この際、結像させる前の光路中にテレビカメラ１２内の色分解プリズム９０の光路長と同じ光路長の第１プリズム４２Ａを配置しているため、収差等が考慮された良好な像を結像させることができる。これにより、撮影レンズ１４の性能を損なわずに、良好な映像をテレビカメラ１２で撮影することができる。
【０１０２】
なお、被写体像を単に回転させるだけであれば、撮影光路中に被写体光を奇数回反射させるプリズム（奇数回反射プリズム）を配置し、当該プリズムを回転させればよい（被写体光を偶数回反射させるプリズムの場合、回転させても被写体像を回転させることはできない。）。
【０１０３】
しかし、奇数回反射プリズムを使用すると、プリズムに入射する前の画像に対して、出射した後の画像が、裏画（左右反転した画像）になってしまうという問題がある。したがって、その裏画の画像をどこかで表画（左右反転していない画像）に戻す必要がある。
【０１０４】
裏画を表画に戻すには、奇数回反射プリズムを再度使用すればよいが、その奇数回反射プリズムを配置するためのスペースが必要になり、本発明のようなアダプタの場合、アダプタが大型化してしまうという問題がある。
【０１０５】
また、撮影された画像に対して画像処理で表画に戻すこともできるが、この方法の場合、当該機能をテレビカメラ側に付加しなければならないという問題がある。
【０１０６】
一方、既存の撮影レンズと既存のテレビカメラとの間に本発明のようなアダプタを配置した場合、アダプタの厚み分、撮影レンズとテレビカメラとの位置関係がズレ、結像位置もズレることになる。
【０１０７】
そこで、本発明は、アダプタ内で一度結像させ、さらにリレー光学系でリレーして、テレビカメラ内の撮像素子に再結像させる構造としている。
【０１０８】
この際、一旦結像させる前の光路中にテレビカメラ内のプリズム（色分解プリズム）と同じ光路長を持つプリズムを配置させるようにすると、既存の撮影レンズが収差等を考慮した最適な状態で結像させることができる。
【０１０９】
この結像前の光路中に配置されるプリズムとしては、テレビカメラ内のプリズム（色分解プリズム）と同じ光路長を持つプリズムであれば性能上は問題ないが、このプリズムを配置するためのスペースが必要になり、本発明のようなアダプタの場合、アダプタが大型化してしまうという問題がある。
【０１１０】
以上のように、単純に考えれば、一旦結像させる前のプリズム、被写体回転用の奇数回反射プリズム、裏画を表画に戻す奇数回反射プリズムをそれぞれ配置すれば性能的には問題ないが、アダプタが大型化するという問題は依然として残ってしまう。
【０１１１】
本発明は、一旦結像させる前のプリズムと裏画を表画に戻す奇数回反射プリズムとを兼用させることで、上述したようなアダプタが大型化してしまうという問題をも解決したものである。
【０１１２】
なお、上記実施の形態の特殊撮影用アダプタ１６では、第１プリズム４２Ａと第２プリズム４２Ｂの光路長をテレビカメラ１２内の色分解プリズム９０の光路長と同じに設定しているが、第１プリズム４２Ａと第２プリズム４２Ｂの光路長は、必ずしもテレビカメラ１２内の色分解プリズム９０の光路長に一致させる必要はなく、許容される範囲内で近い値に設定することができる。すなわち、第１プリズム４２Ａと第２プリズム４２Ｂの光路長は、テレビカメラ内に設置されるプリズムの光路長と同じであることが好ましいが、±５ｍｍ程度の範囲内であれば、問題なく良好な映像を撮影することができる。なお、好ましくは、テレビカメラ内に設置されるプリズムの光路長に対して±２ｍｍ程度の範囲内に設定するのがよい。
【０１１３】
また、第１プリズム４２Ａと第２プリズム４２Ｂの材質についても、テレビカメラ１２内に設置されるプリズムと同じものを使用することが好ましいが、必ずしも同じものを使用する必要はなく、同様の作用効果の得られるものであれば、他の材質のものを使用することができる。
【０１１４】
また、上記実施の形態では、操作部８２の構成として、正回転ボタン、逆回転ボタン、リセットボタン、速度ボリュームを例示しているが、操作部８２の構成は、これに限定されるものではない。必要に応じて種々の回転操作指令を入力できるように構成することが好ましい。
【０１１５】
また、操作部８２を操作して、像回転プリズム４４を回転させる態様は、種々の態様を採用することができ、たとえば、正回転ボタン又は逆回転ボタンを押下している間、像回転プリズム４４を回転させる態様や、正回転ボタン又は逆回転ボタンを１回押下すると、所定回数回転する態様等、種々の態様を採ることができる。
【０１１６】
また、上記実施の形態では、像回転プリズム４４をプリズム回転駆動モータ６８で回転駆動する構成としているが、像回転プリズム４４は、手動で回転させる構成としてもよい。たとえば、図８に示すように、ケース４０の外周に回転操作リング１００を回転自在に設け、この回転操作リング１００と、プリズム保持枠７０とを連結して、手動で回転できるようにしてもよい。この場合、基準位置及び回転量が目視で確認できるように、ケース４０の外周に目盛を形成することが好ましい。
【０１１７】
ターレット５０についても同様に手動で回転させる構成としてもよい。
【０１１８】
また、上記実施の形態では、ターレット５０によって第１プリズム４２Ａと第２プリズム４２Ｂとの切り替えを行っているが、第１プリズム４２Ａと第２プリズム４２Ｂとを切り替える手段は、これに限定されるものではない。たとえば、図８に示すように、第１プリズム４２Ａと第２プリズム４２Ｂを各々個別にプリズム保持枠１０２Ａ、１０２Ｂに保持させ、このプリズム保持枠１０２Ａ、１０２Ｂを交換してケース４０に装着できるようにしてもよい。
【０１１９】
また、上記実施の形態では、第１プリズム４２Ａと像回転プリズム４４をペチャンプリズムで構成しているが、第１プリズム４２Ａと像回転プリズム４４を構成するプリズムは、これに限定されるものではない。すなわち、入射した光を奇数回反射させることにより、像を反転させて出射する構成のプリズムであれば、他の構成のプリズムを用いてもよい。また、第１プリズム４２Ａと像回転プリズム４４は、必ずしも同じ構成のプリズムを用いる必要はない。
【０１２０】
なお、像回転プリズム４４は、入射光軸と出射光軸とを一致させる必要があるが、第１プリズム４２Ａは、必ずしも入射光軸と出射光軸を一致させる必要はない。ただし、この場合、第２プリズム４２Ｂの入射光軸と出射光軸とを一致させる必要がある。
【０１２１】
図７は、このように入射した光を奇数回反射させることにより、像を反転させて出力する構成のプリズムの一例を示す図である。
【０１２２】
同図（ａ）は、入射した光を１回反射させることにより、像を反転させて出力する構成のプリズム（いわゆる、ダブプリズム）である。面Ｃ１に入射した光は、面Ｃ２で反射された後、面Ｃ３から出射される。
【０１２３】
同図（ｂ）は、入射した光を３回反射させることにより、像を反転させて出力する構成のプリズムである。面Ｄ１に入射した光は、面Ｄ２、面Ｄ３、面Ｄ４で反射された後、面Ｄ５から出射される。
【０１２４】
同図（ｃ）は、入射した光を５回反射させることにより、像を反転させて出力する構成のプリズムである。面Ｅ１に入射した光は、面Ｅ２、面Ｅ１、面Ｅ３、面Ｅ５、面Ｅ４で反射された後、面Ｅ５から出射される。
【０１２５】
同図（ｄ）は、三角プリズムを三つ貼り合わせた構成のプリズムであり、入射した光を３回反射させることにより、像を反転させて出力する。面Ｆ１に入射した光は、面Ｆ２、面Ｆ３、面Ｆ４で反射された後、面Ｆ５から出射される。なお、当該構成のプリズムにおいて、面Ｆ１に入射する光の光軸と面Ｆ５から出射する光の光軸は平行となるが、同軸上には位置しない。したがって、当該構成のプリズムは、第１プリズム４２Ａにのみ使用することができる。そして、この場合は、第２プリズム４２Ｂも同じ軸上に光を出射させる構成のものを使用する（光軸Ｏ上に入れ替えても出射光軸が同じになるものを使用する）。
【０１２６】
このように、第１プリズム４２Ａと像回転プリズム４４に使用するプリズムは、光を奇数回反射させるものであればよいが、装置のコンパクト化を考慮すれば、少なくとも内部で３回以上反射させて、出力させる構成のプリズムを用いることが好ましい。すなわち、複数回反射させて出力させることにより、プリズムの光軸方向の全長を短くすることができ、これにより、特殊撮影用アダプタ１６の全長を短くすることができる。特に、第１プリズム４２Ａについては、その光路長を色分解プリズム９０の光路長と同じにする必要があることから、この要求を満足しつつ、装置のコンパクト化を図るために、少なくとも３回以上反射させて出力させる構成のプリズムを用いることが好ましい。
【０１２７】
また、上記実施の形態では、第２プリズム４２Ｂに棒プリズムを用いた例で説明したが、第２プリズム４２Ｂに適用可能なプリズムは、これに限定されるものではない。棒プリズムは、内部で光をまったく反射させずに出射させる構成のものであったが、これ以外にも光を偶数回反射させる構成のものでも同様の効果を得ることができる。たとえば、内部で光を２回反射させて、出射させる構成のプリズムや、内部で光を４回反射させて、出射させる構成のプリズム等を用いることもできる。
【０１２８】
また、この第２プリズム４２Ｂも必ずしも入射光軸と出射光軸を一致させる必要はないが、第１プリズム４２Ａと同じ入射光軸、出射光軸となるものを使用する。すなわち、第１プリズム４２Ａと第２プリズム４２Ｂは、互いにその入射光軸と出射光軸が一致するものを使用する（光軸Ｏ上に入れ替えて配置しても、同じ光軸上に光を出射する構成のものを使用する。）。したがって、第１プリズム４２Ａに入射光軸と出射光軸が一致する構成のプリズムを使用した場合には、第２プリズム４２Ｂにも入射光軸と出射光軸が一致する構成のプリズムを使用する。一方、第１プリズム４２Ａに入射光軸と出射光軸が一致しない構成のプリズムを使用した場合には、その第１プリズム４２Ａと同じ入射光軸、出射光軸となるようなプリズム（偶数回反射のプリズム）を第２プリズム４２Ｂに使用する。
【０１２９】
なお、上記実施の形態では、本発明に係る特殊撮影用アダプタ１６をテレビカメラシステムに適用した場合について説明したが、本発明はカメラ本体と交換可能な撮影レンズとから構成される全てのタイプのカメラシステムに適用することができる。
【図面の簡単な説明】
【０１３０】
【図１】テレビカメラシステムのシステム構成図
【図２】テレビカメラシステムの光学系の概略構成図（Ａモード時）
【図３】特殊撮影用アダプタの一実施形態の概略構成を示す概略図
【図４】第１プリズム（像回転プリズム）の概略構成図
【図５】ターレット５０の概略構成を示す斜視図
【図６】テレビカメラシステムの光学系の概略構成図（Ｂモード時）
【図７】特殊撮影用アダプタの他の実施形態の概略構成を示す概略図
【図８】使用可能なプリズムの一例を示す図
【符号の説明】
【０１３１】
１０…テレビカメラシステム、１２…テレビカメラ、１４…撮影レンズ、１６…特殊撮影用アダプタ、４０…ケース、４２Ａ…第１プリズム、４２Ｂ…第２プリズム、４４…像回転プリズム、４６…第１リレーレンズ、４８…第２リレーレンズ、５０…ターレット、６２…ターレット駆動モータ、７０…プリズム保持枠、７８…プリズム回転駆動モータ、８０…マイコン、…ターレット駆動モータ、９０…色分解プリズム、９２Ｒ、９２Ｇ、９２Ｂ…撮像素子
【図１】
2009260805.tif 000003
【図２】
2009260805.tif 000004
【図３】
2009260805.tif 000005
【図４】
2009260805.tif 000006
【図５】
2009260805.tif 000007
【図６】
2009260805.tif 000008
【図７】
2009260805.tif 000009
【図８】
2009260805.tif 000010